(57)【特許請求の範囲】
【請求項１】
注射針を装着する先端筒体を有するシリンジと、該シリンジ内に摺動可能に配置されて該シリンジの内側にて内容物の充填空間を形成するピストンと、該ピストンに連結するとともに、押し込み力の付加に伴うスライドにて該充填空間内の内容物を該注射針の先端から排出させるプランジャーとを備える注射器であって、
前記ピストンは、前記充填空間に向けて軸線方向に貫通する中央開孔を有し、
前記プランジャーは、該中央開孔につながる内側空間を備え、該内側空間に、該中央開孔に摺動可能に保持されて該プランジャーと同心二重配置となるロッドを設け、
該プランジャーの後端部に、前記注射針内の残留空気を一部の内容物とともに排出する該プランジャーの押し込みに際して該シリンジの後端に設けた指掛け部との当接にて該押し込みを停止させるプランジャーストッパーを形成し、
前記ロッドは、該ロッドの押し込みにて該充填空間内に突き出される先端部を有し、該ロッドに、該プランジャーとの当接によって該先端部を所定の突き出し量で停止させて該先端部の突き出しに係る内容物の排出を所定量で停止させるロッドストッパーを設けることを特徴とする注射器。
【請求項２】
前記プランジャーは、前記ロッドの後端部に当接して該プランジャーの押し込みに伴って該ロッドをスライドさせる着脱自在なカバーを備える請求項１に記載の注射器。
【請求項３】
前記カバーは、前記プランジャーストッパーにヒンジを介して連結されたものである請求項２に記載の注射器。
【請求項４】
前記シリンジは、注射針の未装着姿勢において前記先端筒体に装着される先端カバーを備える請求項１〜３の何れかに記載の注射器。
【請求項５】
前記プランジャーは、前記シリンジの指掛け部と前記プランジャーストッパーとの間に、該プランジャーの押し込みを阻止する着脱自在な押し込み防止部材を備える請求項１〜４の何れかに記載の注射器。
【発明の詳細な説明】
【技術分野】
【０００１】
本発明は、注射器に関するものであり、特には、少量の内容物を定量で排出させようとするものである。
【背景技術】
【０００２】
医療分野で使用される注射器は、例えば特許文献１に記載の注射器のように、シリンジ（シリンダ）の表面に目盛が設けられているのが一般的であり、例えば人差し指と中指でシリンジを挟持して支えた状態で、目盛りを見ながら親指でプランジャーを押し込むことで、所定量の内容物（薬液）が患者に投与される。
【先行技術文献】
【特許文献】
【０００３】
【特許文献１】特開２００２−３０６５９４号公報
【発明の概要】
【発明が解決しようとする課題】
【０００４】
ところで、上述した特許文献１に記載されるような従来の注射器は、目盛が付されているとはいえ、指の押圧加減でプランジャーの押し込み量を調整することが必要であり、多少のばらつきが免れない。特に、必要とする量が少量となる場合は、内容物の排出に際して許容されるばらつきの量が一段と厳しくなるため、操作が非常に難しくなっていた。また、シリンジに予め所定量の内容物を充填しておき、この内容物を全て排出することも検討されたが、注射針をシリンジに装着する際に入り込む空気や元々注射針内に存在する空気等を確実に排出しておくためには、それらの空気とともに内容物の一部も併せて排出することが不可避であり、依然として所期した量での内容物の排出は困難であった。このため、少量の内容物であっても正確な量で、しかも簡単な操作で排出することができる新たな注射器の出現が、切に望まれていた。
【０００５】
本発明の課題は、少量の内容物を定量で排出させることができ、しかも簡易な構成で実現できる使い勝手の良い注射器を提案するところにある。
【課題を解決するための手段】
【０００６】
本発明は、注射針を装着する先端筒体を有するシリンジと、該シリンジ内に摺動可能に配置されて該シリンジの内側にて内容物の充填空間を形成するピストンと、該ピストンに連結するとともに、押し込み力の付加に伴うスライドにて該充填空間内の内容物を該注射針の先端から排出させるプランジャーとを備える注射器であって、
前記ピストンは、前記充填空間に向けて軸線方向に貫通する中央開孔を有し、
前記プランジャーは、該中央開孔につながる内側空間を備え、該内側空間に、該中央開孔に摺動可能に保持されて該プランジャーと同心二重配置となるロッドを設け、
該プランジャーの後端部に、前記注射針内の残留空気を一部の内容物とともに排出する該プランジャーの押し込みに際して該シリンジの後端に設けた指掛け部との当接にて該押し込みを停止させるプランジャーストッパーを形成し、
前記ロッドは、該ロッドの押し込みにて該充填空間内に突き出される先端部を有し、該ロッドに、該プランジャーとの当接によって該先端部を所定の突き出し量で停止させて該先端部の突き出しに係る内容物の排出を所定量で停止させるロッドストッパーを設けることを特徴とする注射器である。
【０００７】
前記プランジャーは、前記ロッドの後端部に当接して該プランジャーの押し込みに伴って該ロッドをスライドさせる着脱自在なカバーを備えることが望ましい。
【０００８】
前記カバーは、前記プランジャーストッパーにヒンジを介して連結されたものであることが望ましい。
【０００９】
前記シリンジは、注射針の未装着姿勢において前記先端筒体に装着される先端カバーを備えることが望ましい。
【００１０】
前記プランジャーは、前記シリンジの指掛け部と前記プランジャーストッパーとの間に、該プランジャーの押し込みを阻止する着脱自在な押し込み防止部材を備えることが望ましい。
【発明の効果】
【００１１】
ピストンに設けた中央開孔に摺動可能に保持されて、プランジャーの内側にて、そのプランジャーと同心二重配置となるロッドを設け、さらに、プランジャーストッパーをシリンジの指掛け部に当接させることで、注射針内の残留空気を一部の内容物とともに排出させつつ残りの内容物は充填空間内に残してその押し込みを停止させ、加えて、ロッドの押し込みに係るその先端部の充填空間内への突き出しによって注射針から内容物を排出する一方、ロッドストッパーがプランジャーに当接して、先端部は所定の突き出し量で停止されるので、少量の内容物でも所期した量を正確に排出させることができる。しかも排出に係る操作は、プランジャー及びロッドを、それぞれのストッパーが当接するまで押し込むだけで済むので使い勝手が良くなる。
【００１２】
プランジャーに、ロッドの後端部に当接してプランジャーの押し込みに伴ってロッドをスライドさせる着脱自在なカバーを設ける場合は、ロッドに触れることがないので不用意にロッドの位置がずれてしまうことがなく、またプランジャーの押し込み中もロッドがずれることなくスライドするので、内容物の量が所期した量から変わってしまうことがない。
【００１３】
カバーとプランジャーストッパーとをヒンジを介して連結する場合は、パーツ数を削減できるだけでなく片手でカバーを開けることができるので、使い勝手を高めることができる。
【００１４】
シリンジの先端筒体に装着される先端カバーを設ける場合は、注射針を装着する直前までシリンジ内を密封することができるので、シリンジ内への異物等の侵入や空気の接触に伴う内容物の変質等を有効に防止することができる。
【００１５】
シリンジの指掛け部と前記プランジャーストッパーとの間に、着脱自在な押し込み防止部材を設ける場合は、例えば輸送等におけるプランジャーの不用意な押し込みを有効に防止できる。
【図面の簡単な説明】
【００１６】
【図１】本発明に従う注射器の実施の形態につき、注射針未装着姿勢の注射器の軸線に沿う断面図である。
【図２】図１に示す注射器の平面図である。
【図３】図１に示す注射器の下面図である。
【図４】図１に示す注射器の押し込み防止部材を示す、（ａ）は平面図であり、（ｂ）は側面図である。
【図５】図１に示す注射針未装着姿勢の注射器と、この注射器に装着する注射針の断面図である。
【図６】図５に示す注射針を装着した、注射針装着姿勢の注射器の断面図である。
【図７】図６に示す注射器のプランジャーを、プランジャーストッパーがシリンジの指掛け部に当接するまで押し込んだ、プランジャー押し込み完了姿勢の注射器の断面図である。
【図８】図７に示す注射器のカバーを開いた、カバー取り外し姿勢の注射器の断面図である。
【図９】図８に示す注射器のロッドを、ロッドストッパーがプランジャーに当接するまで押し込んだ、ロッド押し込み完了姿勢の注射器の断面図である。
【発明を実施するための形態】
【００１７】
以下、図面を参照して、本発明をより具体的に説明する。
図１は、本発明に従う注射器の実施の形態につき、注射針未装着姿勢の注射器の軸線に沿う断面図であり、図２は、図１に示す注射器の平面図であり、図３は、図１に示す注射器の下面図であり、図４は、図１に示す注射器の押し込み防止部材を示す、（ａ）は平面図であり、（ｂ）は側面図であり、図５は、図１に示す注射針未装着姿勢の注射器と、この注射器に装着する注射針の断面図であり、図６は、図５に示す注射針を装着した、注射針装着姿勢の注射器の断面図であり、図７は、図６に示す注射器のプランジャーを、プランジャーストッパーがシリンジの指掛け部に当接するまで押し込んだ、プランジャー押し込み完了姿勢の注射器の断面図であり、図８は、図７に示す注射器のカバーを開いた、カバー取り外し姿勢の注射器の断面図であり、図９は、図８に示す注射器のロッドを、ロッドストッパーがプランジャーに当接するまで押し込んだ、ロッド押し込み完了姿勢の注射器の断面図である。
【００１８】
図１、２において、１はシリンジである。シリンジ１は、先端開口１ａ１を有し根元に向けて外径が漸増する先端筒体１ａと、先端筒体１ａと傾斜部を介して一体連結し先端筒体１ａよりも大径となる中間筒体１ｂと、中間筒体１ｂと段部１ｃを介して一体連結し中間筒体１ｂよりも大径となるシリンジ本体１ｄと、シリンジ本体１ｄの後端部から径方向外側に延在する円形状のフランジ（指掛け部）１ｅとからなる。中間筒体１ｂの内面は、シリンジ１の軸線に沿ってほぼ平行となっている。そして、段部１ｃの内面には、先端側から後端側に向けて傾く傾斜部１ｃ１が設けられていている。
【００１９】
２は、シリンジ１内に摺動可能に配置されるピストンである。ピストン２は軟質材（ゴム等）によって形成されていて、シリンジ１の内側に充填される内容物を後述するロッドとともに液密に封止して内容物の充填空間Ｍを形成している。なおここでの充填空間Ｍとは、先端筒体１ａの先端開口１ａ１からピストン２の先端壁２ａ１に至るシリンジ１の内側の領域をいう。また先端筒体１ａには、後述する先端カバーを装着していて、充填空間Ｍ内には予め内容物が充填されている。
【００２０】
ピストン２は、先端壁２ａ１を有し中間筒体１ｂの内径とほぼ同一、或いはわずかに大きな外径となる先端部２ａと、先端側から後端側に向けて傾く傾斜部２ｂを介して先端部２ａに一体連結する基部２ｃと、先端部２ａ及び基部２ｃを軸線に沿って貫通する中央開孔２ｄとを備えている。中央開孔２ｄは、先端側に位置する先端内面壁２ｄ１が軸線に沿ってほぼ平行となっており、先端側から後端側に向けて傾く傾斜壁２ｄ２を介して後端側に位置する後端内面壁２ｄ３とつながっている。また、基部２ｃには、後述するプランジャーと連結する凹状結合部２ｃ１が設けられている。
【００２１】
３は、ピストン２に連結するプランジャーである。プランジャー３は、軸線に沿って延在するプランジャー本体３ａを備えている。プランジャー本体３ａの先端側には、凹状結合部２ｃ１に一体連結する凸状係合部３ａ１が形成されている。またプランジャー本体３ａの内側は軸線に沿って貫通していて、これにより内側空間３ａ２を形成している。内側空間３ａ２は、先端側に位置する先端内面壁３ａ３がピストン２の後端内面壁２ｄ３とほぼ同内径となっており、先端側から後端側に向けて傾く傾斜壁３ａ４を介して後端側に位置する後端内面壁３ａ５とつながっている。プランジャー本体３ａの外側には、軸線に沿って延びるとともに基部２ｃとほぼ同外径となるリブ３ａ６が、周方向に間隔をおいて複数設けられている。またプランジャー３は、プランジャー本体３ａの後端部に一体連結する環状体３ｂと、環状体３ｂの後端部から径方向外側に延在するフランジ（プランジャーストッパー）３ｃとを備えている。またフランジ３ｃは、後端側に向けて突出してフランジ３ｃよりも小径となる環状壁３ｃ１を備えている。環状壁３ｃ１の後端側の外側端縁には傾斜部３ｃ２が形成されている。
【００２２】
また、プランジャーストッパー３ｃの後方には、カバー３ｄを配置することが好ましい。カバー３ｄはプランジャーストッパー３ｃに着脱可能に（例えばねじ結合や弾性変位する爪による結合等）取り付けられる。図示の例では、プランジャーストッパー３ｃとカバー３ｄとをヒンジｈを介して連結している。カバー３ｄは、中央壁部（プランジャー操作部）３ｄ１の縁部に環状の周壁３ｄ２を一体連結するとともに、周壁３ｄ２の内側に、この周壁３ｄ２よりも高さが低くなるリブ３ｄ３を周方向に間隔をおいて複数設けている。また周壁３ｄ２の外側には、ヒンジｈと対向する位置に凸部３ｄ４を一体連結している。そして周壁３ｄ２の内径は、環状壁３ｃ１の外径とほぼ同一、或いはわずかに小さくなっているので、図１に示すカバー３ｄが閉められた姿勢（カバー取り付け姿勢）においては、カバー３ｄは環状壁３ｃ１に嵌合によって保持される。
【００２３】
４は、プランジャー３の内側空間３ａ２に配されてプランジャー３と同心二重配置となるロッドである。ロッド４は、ピストン２の中央開孔２ｄ、特には先端内面壁２ｄ１の内径とほぼ同一、或いはわずかに大きくなる外径を有し、先端内面壁２ｄ１に摺動可能に保持される先端部４ａと、先端側から後端側に向けて傾く傾斜部４ｂを介して先端部４ａに一体連結する中間部４ｃと、先端側から後端側に向けて傾く傾斜部４ｄを介して中間部４ｃに一体連結するロッド本体部４ｅとを備えている。また、先端部４ａの前方壁４ａ１とピストン２の先端壁２ａ１とはほぼ同一面上にある。また、中間部４ｃからロッド本体部４ｅに至る内側には、肉盗みとしての穴部４ｆが形成されていて、それらの部位の肉厚はほぼ同一となっている。さらにロッド本体部４ｅの後端部には、径方向外側に延在するフランジ（ロッド操作部）４ｇを設け、ロッド操作部４ｇの縁部には、先端側に向かう環状部４ｈが形成されている。ここでロッド操作部４ｇは、カバー３ｄを設ける場合には、図１に示すようにカバー３ｄの中央壁部３ｄ１の内面と当接させることが好ましい。また環状部４ｈの先端側の端部は、ロッドストッパー４ｈ１となっている。なおロッドストッパー４ｈ１とは、後述するように、ロッド４を押し込んだ際にプランジャー３に当接してその押し込みを停止させるものであり、その形状は環状部４ｈの先端側の端部だけに限られず、例えば環状部４ｈを設けずに、ロッド操作部４ｇの面を直接プランジャーストッパー３ｃに当接させるようにしても良い。
【００２４】
５は、シリンジ１の指掛け部１ｅとプランジャーストッパー３ｃとの間に配されて、プランジャー３の押し込みを阻止する押し込み防止部材である。図４に示すように押し込み防止部材５は、環状の一部を切り欠いたＣ字状の結合部５ａと、結合部５ａの切り欠き部と反対側にて一体連結し径方向外側に延びる接続部５ｂと、接続部５ｂの延在する向きとほぼ直交する向きの両側に延びて接続部５ｂとの間でＴ字状となる把持部５ｃとからなる。また押し込み防止部材５は、図１及び図３に示すように結合部５ａをプランジャー３の環状体３ｂに嵌め込んで係止される一方、把持部５ｃを摘んで引っ張ると環状体３ｂから簡単に外すことができる。
【００２５】
６は、後述する注射針の未装着姿勢においてシリンジ１の先端筒体１ａに装着される先端カバーである。先端カバー６は、円状壁６ａと、円状壁６ａの縁部と一体連結する環状の周壁６ｂとからなり、周壁６ｂを先端筒体１ａに嵌め込んで充填空間Ｍ内を液密に封止することができる。なお先端カバー６は、螺合によって先端筒体１ａに取り付けるようにしても良い。
【００２６】
また図５において、７は、先端カバー６を取り外した後、シリンジ１の先端筒体１ａに装着される注射針である。注射針７は、例えば未使用時においては保護ケースＣ等に収納されている。また注射針７は、種々のタイプのものを使用することができるが、図示の例では基部７ａに針部７ｂが取り付けられていて、基部７ａを先端筒体１ａに押し込むことでシリンジ１への装着が完了するようになっている。なお、基部７ａ及び先端筒体１ａにねじ部を設けて螺合によって装着するようにしても良い。
【００２７】
上記のように構成される注射器は、シリンジ１にピストン２を取り付けるに当たり、ピストン２における先端部２ａの外径は、シリンジ１における中間筒体１ｂの内径とほぼ同一、或いはわずかに大きくなっているが、先端部２ａは、シリンジ１の傾斜部１ｃ１によって誘導されて中間筒体１ｂに挿入されるので、組み立て作業性が損なわれることがない。また、ロッド４における先端部４ａの外径は、ピストン２における先端内面壁２ｄ１の内径とほぼ同一、或いはわずかに大きくなっているが、先端部４ａは、ピストン２の傾斜壁２ｄ２によって誘導されて先端内面壁２ｄ１に挿入されるので、上述したシリンジ１及びピストン２と同様に組み立て作業性が損なわれることがない。
【００２８】
そして上記の注射器にて内容物の排出を行うに当たっては、図５に示す注射針未装着姿勢の注射器から先端カバー６を取り外し、図６に示すように注射針７を装着する。なお、注射針７を装着する際には、充填空間Ｍ内に空気が入り込むおそれがあり、また注射針７内には元々空気が残った状態となっているが、これらの空気は後述する方法にて排出される。さらに、図５に示す押し込み防止部材５も取り外しておく。
【００２９】
次いで、図７に示すように注射針７を上方に向けた姿勢で、矢印の向きにプランジャー操作部３ｄ１を押圧し、ロッド４を伴ってプランジャー３を軸線に沿ってスライドさせ、プランジャーストッパー３ｃがシリンジ１の指掛け部１ｅに当接するまで押圧を継続する。これにより、ピストン２がシリンジ１の先端筒体１ａに向けて押し込まれるので、内容物とともに充填空間Ｍ内及び注射針７内の空気が注射針７の先端から排出される。ここで、排出される内容物は一部のみであって、充填空間Ｍ内には内容物が残った状態となっている。なお、ロッド４とピストン２のしめしろ（先端部４ａと先端内面壁２ｄ１とのしめしろ）の方が、ピストン２とシリンジ１のしめしろ（先端部２ａと中間筒体１ｂとのしめしろ）よりも大きい場合は、カバー３ｄを開いた状態でプランジャー３のプランジャーストッパー３ｃ付近を押圧しても、ロッド４を伴ってスライドさせることが可能であるが、図示のようにカバー３ｄを閉じてプランジャー３を押圧すればロッド４を不用意に押し込んでしまうことがない。
【００３０】
その後、図８に示すようにカバー３ｄを開くことでロッド４が押圧可能な状態となる。図示の例ではカバー３ｄがヒンジｈにてプランジャーストッパー３ｃに連結しているので、凸部３ｄ４に指を掛けて押し上げてワンタッチでカバー３ｄを開けることができる。
【００３１】
そして、図９に示すようにロッド操作部４ｇを押圧し、ロッド４の先端部４ａを充填空間Ｍ内に突き出す。そしてロッド操作部４ｇの押圧を続けると、ロッドストッパー４ｈ１がプランジャーストッパー３ｃに当接し、先端部４ａの突き出しが停止する。ここで、ロッド４の押し込み前においては、充填空間Ｍ及び注射針７の内側は内容物で満たされているので、ロッド４を押し始めてから停止するまでに先端部４ａが充填空間Ｍ内にスライドする体積分に相当する内容物が、注射針７の先端から排出されることになる。これにより少量の内容物であっても、所定の量が正確に排出できる。
【産業上の利用可能性】
【００３２】
本発明によれば、少量の内容物を定量で排出させることができ、しかも簡易な構成で実現できる使い勝手の良い注射器を提供できる。
【符号の説明】
【００３３】
１    シリンジ
１ａ  先端筒体
１ｂ  中間筒体
１ｃ  段部
１ｄ  シリンジ本体
１ｅ  フランジ（指掛け部）
２    ピストン
２ａ  先端部
２ｂ  傾斜部
２ｃ  基部
２ｄ  中央開孔
３    プランジャー
３ａ  プランジャー本体
３ａ２  内側空間
３ｂ  環状体
３ｃ  フランジ（プランジャーストッパー）
３ｄ  カバー
３ｄ１  中央壁部（プランジャー操作部）
３ｄ２  周壁
３ｄ３  リブ
３ｄ４  凸部
４    ロッド
４ａ  先端部
４ｂ  傾斜部
４ｃ  中間部
４ｄ  傾斜部
４ｅ  ロッド本体部
４ｆ  穴部
４ｇ  フランジ（ロッド操作部）
４ｈ  環状部
４ｈ１  ロッドストッパー
５    押し込み防止部材
５ａ  結合部
５ｂ  接続部
５ｃ  把持部
６    先端カバー
６ａ  円状壁
６ｂ  周壁
７    注射針
７ａ  基部
７ｂ  針部
Ｍ  充填空間
【図１】
0005695485.tif 000002
【図２】
0005695485.tif 000003
【図３】
0005695485.tif 000004
【図４】
0005695485.tif 000005
【図５】
0005695485.tif 000006
【図６】
0005695485.tif 000007
【図７】
0005695485.tif 000008
【図８】
0005695485.tif 000009
【図９】
0005695485.tif 000010